(57)【特許請求の範囲】
【請求項１】
複数の現金処理装置の間で共用される現金カセットを用い、この現金カセットから現金処理装置へ現金を装填したり、あるいは現金処理装置から現金カセットに現金を回収する現金管理システムであって、
前記複数の現金処理装置が共通のネットワークに接続されていて、そのネットワークに管理装置が接続されており、
前記現金カセットは各々を識別できるように固有の識別情報を有し、
前記管理装置は、このカセットの識別情報を基に各々の現金カセットに収容されている現金の有高情報と、各現金処理装置に収容されている現金の有高情報を管理する現金有高情報管理テーブルを有しており、
現金カセットの着脱に伴って現金処理装置から管理装置へ、その現金カセットの識別情報、及び現金の有高情報が送信され、これにより管理装置の現金有高情報管理テーブルの内容を更新することで、ネットワーク全体にわたる現金の有高を管理装置で一元管理することを特徴とする現金管理システム。
【請求項２】
複数の現金処理装置の間で共用される現金カセットを用い、この現金カセットから現金処理装置へ現金を装填したり、あるいは現金処理装置から現金カセットに現金を回収する現金管理システムであって、
前記複数の現金処理装置が共通のネットワークに接続されていて、そのネットワークに管理装置が接続されており、
前記現金カセットは各々を識別できるように固有の識別情報を有し、
前記管理装置は、このカセットの識別情報を基に各々の現金カセットに収容されている現金の有高情報を管理する現金有高情報管理テーブルと、各現金処理装置とそこに装着された現金カセットとを関連付ける情報を記憶したカセット装着情報テーブルを有しており、
現金カセットの着脱に伴って現金処理装置から管理装置へ、その現金カセットの識別情報、及び現金の有高情報が送信され、これにより管理装置の現金有高情報管理テーブルの内容を更新することで、ネットワーク全体にわたる現金の有高を管理装置で一元管理することを特徴とする現金管理システム。
【請求項３】
複数の現金処理装置の間で共用される現金カセットを用い、この現金カセットから現金処理装置へ現金を装填したり、あるいは現金処理装置から現金カセットに現金を回収する現金管理システムであって、
前記複数の現金処理装置が共通のネットワークに接続されていて、そのネットワークに管理装置が接続されており、
前記現金カセットは各々を識別できるように固有の識別情報を有し、
前記管理装置は、このカセットの識別情報を基に各々の現金カセットに収容されている現金の有高情報を管理する現金有高情報管理テーブルと、各現金カセットと現金カセットが装着された現金処理装置とを関連付ける情報を記憶するカセット管理テーブルを有しており、
現金カセットの着脱に伴って現金処理装置から管理装置へ、その現金カセットの識別情報、及び現金の有高情報が送信され、これにより管理装置の現金有高情報管理テーブルの内容を更新することで、ネットワーク全体にわたる現金の有高を管理装置で一元管理することを特徴とする現金管理システム。
【請求項４】
請求項３において、
カセット管理テーブルに、現金カセットに収容されている現金が確定されたものか、未確定のものかを識別するための確定／未確定情報を記憶させることを特徴とする現金管理システム。
【請求項５】
請求項４において、
現金カセットに、扉が開いたことを検知した場合、その検知結果を保持しておく扉状態保持手段を設け、
現金処理装置には、この扉状態保持手段の保持情報に基づいて現金カセットの扉が開けられたか否かをチェックするチェック手段を設けて、
このチェック手段のチェック結果により現金処理装置から管理装置へカセット管理テーブルの確定／未確定情報を更新すべく通知を行うことを特徴とする現金管理システム。
【請求項６】
請求項４または請求項５において、
管理装置に、カセット管理テーブルの確定／未確定情報が未確定に更新された場合に、管理装置から現金処理装置へ現金カセット内の現金を計数して自己確定させるべく指示する指示手段を設けたことを特徴とする現金管理システム。
【請求項７】
請求項４〜請求項６のいずれかにおいて、
管理装置に、カセット管理テーブルの確定／未確定情報が未確定に更新された場合に、その状態を予め定められた手順で報知する報知手段を設けたことを特徴とする現金管理システム。
【請求項８】
請求項３において、
管理装置に、カセット管理テーブルを参照して未装着の現金カセットを抽出し、それを管理範囲外カセットとして区分する手段を設けたことを特徴とする現金管理システム。
【請求項９】
請求項３において、
ネットワーク内に現金カセットの居場所を探索する探索手段を設け、また、カセット管理テーブルにその現金カセットの居場所情報を記憶させることを特徴とする現金管理システム。
【請求項１０】
請求項９において、
探索手段がネットワーク外の現金カセットの居場所を探索することを特徴とする現金管理システム。
【請求項１１】
請求項９において、
居場所情報として現金カセットが店舗内にあるのか店舗外にあるのかを現す情報をカセット管理テーブルに記憶させることを特徴とする現金管理システム。
【請求項１２】
請求項９において、
現金カセット及び管理装置に居場所探索のための探索手段として無線通信手段を設けたことを特徴とする現金管理システム。
【請求項１３】
請求項１２において、
カセット管理テーブルに、現金カセットに収容されている現金が確定されたものか、未確定のものかを識別するための確定／未確定情報を記憶し、無線通信の結果に基づいてカセット管理テーブルの確定／未確定情報を更新することを特徴とする現金管理システム。
【請求項１４】
請求項１３において、
現金カセットに、扉が開いたことを検知した場合、その検知結果を保持しておく扉状態保持手段を設け、
管理装置には、無線通信で送られてくる扉状態保持手段の保持情報に基づいて現金カセットの扉が開けられたか否かをチェックするチェック手段を設けて、
扉が開けられた場合にカセット管理テーブルの確定／未確定情報を未確定に更新することを特徴とする現金管理システム。
【請求項１５】
元方の現金処理装置が他の現金処理装置から独立して配置されており、これら複数の現金処理装置の間で現金カセットを共用して、この現金カセットから現金処理装置へ現金を装填し、あるいは現金処理装置から現金カセットに現金を回収する現金管理システムであって、
前記現金カセットは各々を識別できるように固有の識別情報を有し、
この識別情報を基に各々の現金カセットに収容されている現金の有高情報を管理する現金有高情報管理テーブルを有する管理装置を前記元方の現金処理装置側に備え、
この管理装置は、現金カセットを前記元方の現金処理装置側に装着したとき、その現金カセットを識別情報により識別し、この現金カセットに装填した現金を有高情報として前記識別情報に基づいて前記現金有高情報管理テーブルの内容を更新することで、システムにおけるすべての現金カセットの現金の有高を一元管理することを特徴とする現金管理システム。
【請求項１６】
請求項１５において、
元方の現金処理装置と他の現金処理装置に共通に用いられ、これら現金カセットとして現金処理装置への現金の装填や回収を行うための現金処理装置用の共通カセット、及び前記元方の現金処理装置の専用カセットを用い、この専用カセットには、前記元方の現金処理装置で入金処理する現金を装填することを特徴とする現金管理システム。
【請求項１７】
請求項１５において、
専用カセットに、該専用カセットに装填された現金の金種別の枚数を有高情報として記憶する記憶手段を設け、この専用カセットを元方の現金処理装置に装着したとき、前記記憶手段の有高情報と管理装置の現金有高情報管理テーブルの内容を照合することを特徴とする現金管理システム。
【請求項１８】
請求項１５において、
共通カセットに、該共通カセットに装填された現金の金種別の枚数を有高情報として記憶する記憶手段を設け、
現金処理装置からの現金の回収時に前記記憶手段に有高情報を記憶し、
この共通カセットを元方の現金処理装置に装着したとき、この元方の現金処理装置の表示部に前記記憶手段に記憶した有高情報を表示することを特徴とする現金管理システム。
【請求項１９】
請求項１８において、
現金処理装置からの現金の回収時に共通カセットの記憶手段に有高情報と当該カセットの装着先情報を記憶し、
この共通カセットを、元方の現金処理装置に装着したとき、この元方の現金処理装置の表示部に前記記憶手段に記憶した有高情報と装着先情報を表示することを特徴とする現金管理システム。
【請求項２０】
管理装置を備えた元方の現金処理装置と、それぞれ独立した複数の現金処理装置の間で共用される共通カセットを用い、この共通カセットから現金処理装置へ現金を装填したり、あるいは現金処理装置から共通カセットに現金を回収する現金管理方法であって、
前記共通カセットは各々を識別できるように固有の識別情報を有し、
前記管理装置は、前記識別情報を基に各々の共通カセットに収容されている現金の有高情報を管理する現金有高情報管理テーブルを有しており、
前記元方の現金処理装置に共通カセットを装着したとき、前記管理装置はその現金カセットを識別情報により識別し、この共通カセットに装填した現金を有高情報として前記識別情報に基づいて前記現金有高情報管理テーブルの内容を更新することで、システムにおけるすべての現金カセットの現金の有高を一元管理することを特徴とする現金管理方法。
【発明の詳細な説明】
【０００１】
【発明の属する技術分野】
本発明は、銀行等の金融機関で運用される現金管理システムに関するもので、特に、複数の現金処理装置に装填、あるいは回収される現金の有高情報を管理装置で管理する現金管理システムに関するものである。
【０００２】
【従来の技術】
従来のこの種の現金管理システムにおいては、窓口に設置された窓口現金処理機や無人化コーナーに設置された自動取引装置（ＡＴＭ）に対して現金を装填あるいは補充する場合、担当のオペレータが元方の端末を操作して現金の金額、金種、枚数と装填あるいは補充すべき装置の識別番号を入力することにより元方機から現金を出金させると共に、その出金した現金の内訳を記入した回金票と呼ばれる伝票をプリンタから出力させ、この伝票を現金と共に装填あるいは補充すべき装置に運搬する。
【０００３】
そして、装置に装着されている補充回収カセットに現金をセットし、このセットした現金を装置の計数機能を利用して計数させ、その計数結果と回金票の記入内容とを目視により突き合わせて確認を行い、間違いがないことを確認してから前記の補充回収カセットの現金を装置内の金種別スタッカに自動装填あるいは補充させる。
【０００４】
このような現金の装填あるいは補充において、元方機での計数結果は装置番号と共に管理端末のファイルに記憶し、同様に記憶される各装置毎の計数結果の総合の情報を現在日の各現金処理金装置の有高として管理している。
【０００５】
【発明が解決しようとする課題】
しかしながら上述した従来の技術では、窓口現金処理機や自動取引装置現金を装填あるいは補充する場合、担当のオペレータが元方機から出金した現金をそのまま窓口現金処理機や自動取引装置現金に運搬するため、セキュリティー性が低く、現金にまつわる事故を生じ易いという問題があり、しかも、一般に現金の運搬は一人で行わず、現金の監査権を持つ責任者が付き添うので、余分な人員が必要になるという問題もある。
【０００６】
また、管理端末で管理している現金の有高は、窓口現金処理機や自動取引装置に対する現金の装填あるいは補充時に元方機で計数した情報で、各窓口現金処理機や自動取引装置におけるリアルタイムの有高を把握できないため、有効な資金運用ができないという問題もある。
例えば、営業店では毎日本部に連絡して翌日の運用資金を調達するが、その際リアルタイムの有高を把握できていないと、余分に資金調達を行う可能性が高くなり、これにより有効な資金運用ができないという問題も生じてくる。
【０００７】
従って、本発明はこれらの問題を解決することを課題とする。
【０００８】
【課題を解決するための手段】
そのため、本発明は、複数の現金処理装置の間で共用される現金カセットを用い、この現金カセットから現金処理装置へ現金を装填したり、あるいは現金処理装置から現金カセットに現金を回収する現金管理システムであって、前記複数の現金処理装置が共通のネットワークに接続されていて、そのネットワークに管理装置が接続されており、前記現金カセットは各々を識別できるように固有の識別情報を有し、前記管理装置は、このカセットの識別情報を基に各々の現金カセットに収容されている現金の有高情報と、各現金処理装置に収容されている現金の有高情報を管理する現金有高情報管理テーブルを有しており、現金カセットの着脱に伴って現金処理装置から管理装置へ、その現金カセットの識別情報、及び現金の有高情報が送信され、これにより管理装置の現金有高情報管理テーブルの内容を更新することで、ネットワーク全体にわたる現金の有高を管理装置で一元管理することを特徴とする。
【０００９】
【発明の実施の形態】
以下、図面を参照して本発明の実施の形態について説明する。
図１は第１の実施の形態による現金管理システムを示す概略構成図である。
図において１は金融機関の営業店において窓口のオペレータ（テラー）が操作する窓口端末としてのオンラインテラーズマシン（以下ＯＴＭ）、２はこのＯＴＭ１に接続された窓口現金処理機（窓口機）、３は営業店の無人化コーナーに設置されたＡＴＭ（自動取引装置）で、これら窓口現金処理機２及びＡＴＭ３はそれぞれ複数設けられており、ここで窓口現金処理機２は１台につき２台のＯＴＭ１で共有されている。
【００１０】
４は元方のオペレータ（テラー）が操作する元方端末としてのテラーズマシン（以下ＴＭ）、５はこのＴＭ４に接続された元方現金処理機である。
これら窓口現金処理機２、ＡＴＭ３、及び元方現金処理機５は本発明における現金処理装置であって、窓口現金処理機２はＯＴＭ１を介して営業店のネットワーク６に接続され、またＡＴＭ３は個々にネットワーク６に接続されており、更に元方現金処理機５もＴＭ４を介してネットワーク６に接続されている。
【００１１】
７は各金種の現金を一括してセットすることが可能な現金カセットで、紙幣用と硬貨用の２種が用いられる。
この現金カセット７は、現金処理装置である窓口現金処理機２やＡＴＭ３及び元方現金処理機５で共通に使用するもので、窓口現金処理機２やＡＴＭ３及び元方現金処理機５のいずれにも着脱可能になっており、更にこのこれら現金処理カセット７は窓口現金処理機２やＡＴＭ３及び元方現金処理機５との間で現金の授受を行えるように構成されていて、本実施の形態では紙幣用と硬貨用の現金カセット７はそれぞれの窓口現金処理機２とＡＴＭ３と元方現金処理機５の総数に予備の分を加えた数だけ揃えられている。
【００１２】
８はネットワーク６に接続された管理装置で、この管理装置８には管理ファイル９、表示部１０、キーボード等の操作部１１、及びプリンタ１２等が接続されている。
尚、この管理装置８はここでは独立したものとして示しているが、ＴＭ４等にその機能を保有させて兼用することも可能である
図２は紙幣用の現金カセットの外観を示す斜視図、図３は同現金カセットの側断面図で、図に示したようにこの現金カセット７は複数金種の現金を一括して収納する一括収納部２１とリジェクト用収納庫２３を有しており、一括収納部２１には鍵付きの扉２２が、リジェクト用収納庫２３には扉２４がそれぞれ設けられている。
【００１３】
また、一括収納部２１の扉２２と反対側の面には現金の繰り出し口と取り込み口が上下２段に設けられており、現金カセット７を元方現金処理機５に装着することで、元方現金処理機５から計数して送られてくる現金を取り込み口から取り込んで一括収納部２１に自動装填できるようになっている。
また、現金カセット７を窓口現金処理機２やＡＴＭ３あるいは元方現金処理機５に装着した場合、一括収納部２１内の紙幣を繰り出し口から繰り出し、その紙幣を窓口現金処理機２やＡＴＭ３あるいは元方現金処理機５で金種鑑別及び計数した後、取り込み口から取り込んで一括収納部２１に再収納することも可能であり、そしてこの機能を利用して現金カセット７から窓口現金処理機２やＡＴＭ３内に設けられている金種別スタッカに現金を装填あるいは補充し、また金種別スタッカから現金を回収することも可能となっている。
【００１４】
このように一括収納部２１内の紙幣を繰り出し口から繰り出し、鑑別，計数した後一括収納部２１に再収納する動作を以後自己確定処理とする。
更に、現金カセット７内には図示しない光センサ等による紙幣のフル検知器、ニアフル検知器、エンド検知器、ニアエンド検知器等が設けられ、これらの検知器の検知信号により現金カセット７内の残留紙幣の有無を確認できるようになっている。
【００１５】
尚、リジェクト用収納庫２３は、金種別スタッカへの装填あるいは補充時に窓口現金処理機２やＡＴＭ３内の鑑別部で偽券や搬送異常等によるリジェクト券と鑑別された現金の収納に利用される部位である。
図４は現金カセットの状態遷移を示す説明図である。
現金カセット７の一括収納部２１の残留現金の「０」がエンド検知器の信号に基づいて確認され、一括収納部２１の扉２２の開が扉開閉検知部４２で検知されない場合、現金カセット７の一括収納部２１には残留現金が無いものとみることができる。
【００１６】
一方、一括収納部２１の残留現金の「０」がエンド検知器の信号に基づいて確認されたが、その後一括収納部２１の扉２２の開が扉開閉検知部４２で検知された場合は、一括収納部２１内へのアクセスが可能となるので、残留現金が無いものとして確定されないが、扉２２を閉めたのち、残留現金の「０」がエンド検知器の信号に基づいて確認され、一括収納部２１の扉２２の開が扉開閉検知部４２で検知されない場合、現金カセット７の一括収納部２１には残留現金が無いものとして確定される。
【００１７】
前記のように現金カセット７の一括収納部２１には残留現金が無いと確定された状態で、現金カセット７が例えば元方現金処理機５に装着され、一括収納部２１に現金が装填された後、扉２２の開が扉開閉検知部４２で検知されなければ、一括収納部２１の現金は装填時に指定された金種と枚数が保証されることになるので、その指定された金種と枚数は確定したものとみることができる。
【００１８】
また、現金が装填されることによりエンド検知器等の信号が変化するので、残留現金は有ると認識される。
この状態で、例えば現金カセット７が一旦元方現金処理機５から外され、別の元方現金処理機５等に装着されて現金の追加，補充や一部回収が行われわれても、扉２２の開が扉開閉検知部４２で検知されなければ、装填現金は金種と枚数が保証されることになるので、現金は確定されているものとなる。
【００１９】
これに対して現金装填後、現金カセット７が元方現金処理機５から外された後、運搬中等に扉２２の開が扉開閉検知部４２で検知された場合、一括収納部２１の現金は抜き取られたり、あるいは加えられたりしている可能性があるので、装填されている紙幣の金種と枚数は保証されず未確定となる。
その後、扉２２が閉じられ、鍵がかけられた後、現金カセット７が別の元方現金処理機５等に装着されて自己確定処理を行った場合、一括収納部２１の現金の金種、枚数は確定となる。
【００２０】
図５は現金処理装置と現金カセットにおける制御系の構成を示すブロック図である。
現金処理装置は前述のように窓口現金処理機２やＡＴＭ３あるいは元方現金処理機５であって、図示したようにネットワーク接続用のインタフェース３１、カセット接続用のインタフェース３２、装置内の各機構部を動作させる機構部コントローラ３３、記憶部３４、及びこれら３１〜３４を制御する制御部３５を備えており、一方、現金カセット７は現金処理装置接続用のインタフェース４１、扉２２の開閉を検知するマイクロスイッチ等の扉開閉検知部４２、記憶部４３、及びこれら４１〜４３を制御する制御部４４を備えている。
【００２１】
このうち、現金処理装置の記憶部３４は、現金カセット７固有の情報（以下、ＩＤ）や、カセット７に装填されている現金の計数結果等を記憶し、また現金カセット７の記憶部４３は装置固有のＩＤ、及び装填（収納）現金の有無を示す現金残留情報、扉２２が開かれたか否かを示す扉開閉情報等を記憶するものとなっている。
【００２２】
図６は管理装置における制御系の構成を示すブロック図で、この管理装置８はネットワーク接続用のインタフェース５１、Ｉ／Ｏコントローラ５２、記憶部５３、及びこれら５１〜５３を制御する制御部５４を備えている。
このうちＩ／Ｏコントローラ５２は、管理ファイル９、表示部１０、操作部１１、及びプリンタ１２との間で情報の授受を行うもので、記憶部５３は現金処理装置から送られてくる各種の情報を一時的に記憶するものとなっている。
【００２３】
尚、窓口現金処理機２、ＡＴＭ３、元方現金処理機５と管理装置８間の通信は各制御部３５、５４により各々のインタフェース３１、５１やＯＴＭ１，ＴＭ４等を介して行われ、また記憶部３４、５３、及び管理ファイル９への情報の書き込み、更新等も制御部３５、５４により行われるが、説明の煩雑さを避けるため以後その説明は省略するものとする。
【００２４】
また、窓口現金処理機２、ＡＴＭ３、元方現金処理機５と現金カセット間の通信や情報の書き込み、更新についても同様とする。
図７〜図９は管理ファイルに設定された各テーブルの内容例を示す図で、図７はカセット装着情報管理テーブル、図８はカセット管理テーブル、図９は現金有高情報管理テーブルである。
【００２５】
図７のカセット装着情報管理テーブルの情報は、窓口現金処理機２やＡＴＭ３あるいは元方現金処理機５に対して現在どの現金カセット７（紙幣カセット及び硬貨カセットとして示される）が装着されているのかを示すもので、装置の種類と各装置に与えられている固有の装置番号に対応させて紙幣カセット及び硬貨カセットにＩＤとして与えられたカセット番号が書き込まれている。
【００２６】
図８のカセット管理テーブルの情報は、現金カセット７が窓口現金処理機２やＡＴＭ３あるいは元方現金処理機５のどれに装着されているか否か、あるいはいずれの装置に装着されているのか、更には紙幣カセット及び硬貨カセット内の現金有高の確定／未確定の状態を示すもので、紙幣カセット及び硬貨カセットのカセット番号に関連させて装置の種類と装置番号及び確定（○で示す）／未確定の情報が書き込まれている。
【００２７】
図９の現金有高情報管理テーブルの情報は、システムで保有されているすべての現金の金種と枚数を示すもので、各装置毎及びカセット毎に収納した金種と枚数の情報が書き込まれている。
次に、上述した構成による第１の実施の形態の作用について説明する。
図１０は現金カセットへの現金の装填処理手順を示す説明図である。
【００２８】
まず、空の現金カセット７を窓口現金処理機２やＡＴＭ３あるいは元方現金処理機５のいずれかに装着するが、ここでは、例えば、カセット番号「００１」の紙幣カセットを元方現金処理機５の１号機に装着したものとする。
紙幣カセットの装着が完了すると、紙幣カセットの記憶部４３に記憶されているＩＤとしてのカセット番号、扉開閉情報、及び現金残留情報が元方現金処理機５に送られ、元方現金処理機５では送られてきた情報により紙幣カセットのＩＤ、扉２２の開閉のチェック、現金残留のチェックが行われる。
【００２９】
その結果、紙幣カセットのＩＤのカセット番号が認識され、また、扉２２が開かれていないこと及び現金が存在しないことが確認されると、これらの情報が元方現金処理機５からＴＭ４を介して管理装置８に通知されると共に、紙幣カセットへの現金の装填が開始される。
管理装置８は元方現金処理機５から通知を受けると、その内容に応じて管理ファイル９の内容を更新する。
【００３０】
すなわち、カセット装着情報管理テーブルの元方現金処理機５の１号機のカセット番号が「００１」に更新され、カセット管理テーブルの「００１」の紙幣カセットの装着状態は「元方現金処理機５の１号機」、確定状態は「確定」に更新され、更に現金有高情報管理テーブルの「００１」の紙幣カセットの金種別枚数はすべて「０」に更新される。
【００３１】
一方、元方現金処理機５では金種別スタッカから紙幣が繰り出され、金種の確認及び計数を行いながら紙幣カセットに現金を装填する。
装填紙幣の金種及び枚数は、元方現金処理機５に紙幣カセットを装着する際にオペレータがＴＭ４のキーボードにより指定するが、ここでは万円券を１５００枚指定して紙幣カセットに装填したものとする。
【００３２】
装填が終了すると元方現金処理機５から管理装置８に装填終了の通知と、装填紙幣の金種及び枚数の情報が送られ、これにより管理装置８は管理ファイル９における現金有高情報管理テーブルの「００１」の紙幣カセットの万円券の紙幣枚数を「１５００」に更新し、また、紙幣カセットでは記憶部４３の現金残留情報を「有」に更新する。
【００３３】
その後、オペレータが元方現金処理機５から紙幣カセットを取り外すと、元方現金処理機５から管理装置８に「００１」の紙幣カセットの取り外し完了が通知され、これを受けて管理装置８は管理ファイル９におけるカセット装着情報管理テーブルの元方現金処理機５の１号機のカセット番号を装着無に更新し、またカセット管理テーブルの「００１」の紙幣カセットの装着状態を「未装着」、確定状態を「確定」にそれぞれ更新する。
【００３４】
尚、他の紙幣カセットや硬貨カセットにも同様にして現金を装填可能であり、その際、前記と同様に管理ファイルのテーブル内容やカセットの記憶部の内容が更新される。
図１１〜図１３は現金装填後の現金カセットの別の装置への装着手順を示す説明図である。
【００３５】
オペレータは前記のように元方現金処理機５から取り外した「００１」の紙幣カセットを別の装置、例えばＡＴＭ３の３号機に運搬する。
そして図１１に示したように、運搬中に紙幣カセットの扉２２が開けられることなく、紙幣カセットがＡＴＭ３の３号機に装着されると、紙幣カセットの記憶部４３に記憶されているＩＤとしてのカセット番号、扉開閉情報、及び現金残留情報がＡＴＭ３に送られ、ＡＴＭ３で送られてきた情報により紙幣カセットのＩＤ、扉２２の開閉のチェック、現金残留のチェックが行われる。
【００３６】
その結果、紙幣カセットのＩＤのカセット番号が確認され、また、扉２２の開かれていないこと及び現金が存在していることが確認されると、これらの情報がＡＴＭ３から管理装置８に通知されると共に、紙幣カセットから紙幣が繰り出されてＡＴＭ３の金種別スタッカへの現金の装填が開始される。
管理装置８はＡＴＭ３から通知を受けると、その内容に応じて管理ファイル９の内容を更新する。
【００３７】
すなわち、カセット装着情報管理テーブルのＡＴＭ３の３号機の紙幣カセット番号が「００１」に更新され、カセット管理テーブルの「００１」の紙幣カセットの装着状態は「ＡＴＭ３の３号機」、確定状態は「確定」にそれぞれ更新される。
また、ＡＴＭ３における金種別スタッカへの装填紙幣の金種及び枚数は、紙幣カセットを装着する際にオペレータが係員パネルにより指定し、それに基づいて装填が行われる。
【００３８】
装填が終了するとＡＴＭ３から管理装置８に装填終了の通知と、装填紙幣の金種及び枚数の情報が送られ、これにより管理装置８は管理ファイル９における現金有高情報管理テーブルの「００１」の紙幣カセットの万円券の紙幣枚数を「１５００」から装填枚数を減算した値に更新すると共に、ＡＴＭ３の３号機の万円券の枚数を、装填前の枚数に装填枚数を加算した値に更新する。
【００３９】
一方、図１２に示したように、元方現金処理機５から取り外した「００１」の紙幣カセットをＡＴＭ３の３号機へ運搬する途中で、紙幣カセットの扉２２が開けられ、この扉開が扉開閉検知部４２により検知されると、記憶部４３の扉開閉情報は扉が開かれたことを示す内容に更新される。
その後、紙幣カセットがＡＴＭ３の３号機に装着され、紙幣カセットの記憶部４３に記憶されているＩＤとしてのカセット番号、扉開閉情報、及び現金残留情報がＡＴＭ３に送られると、その送られてきた情報によりＡＴＭ３で紙幣カセットのＩＤ、扉２２の開閉のチェック、現金残留のチェックが行われ、その結果が管理装置８に通知される。
【００４０】
この場合、紙幣カセットのＩＤのカセット番号が認識され、現金が存在していることが確認されるが、扉開閉情報は扉が開かれたこと示す内容になっているので、管理装置８では管理ファイル９におけるカセット装着情報管理テーブルのＡＴＭ３の３号機の紙幣カセット番号が「００１」に更新され、カセット管理テーブルの「００１」の紙幣カセットの装着状態は「ＡＴＭ３の３号機」、確定状態は「未確定」にそれぞれ更新される。
【００４１】
この「未確定」の情報は紙幣カセット内の紙幣枚数が保証されないことを示すものであるので、管理装置８はＡＴＭ３の３号機に装着されている「００１」の紙幣カセット内の装填現金が「未確定」であることを表示部１０に表示すると共に、警告音等を出力して管理装置８の担当オペレータに報知したり、あるいはＴＭ４にメールで通知する等の警告を行ったり、さらにはＡＴＭ３の３号機の係員パネルに警告表示を行う等の処置を講じ、これにより別カセットの装填、あるいは手装填扱いにする等の判断を現金取扱いの権限を持つ役席等に委ねる。
【００４２】
但し、この場合、いずれの方法をとっても、その結果が管理装置８に通知されるようにして、管理ファイル９の各テーブルの情報が正しく更新され、現金の有高が管理装置８で正確に把握できるようにする。
また、上記のように元方現金処理機５から取り外した「００１」の紙幣カセットをＡＴＭ３の３号機へ運搬する途中で、紙幣カセットの扉２２が開けられた場合、図１３に示した処理も可能である。
【００４３】
この場合も、扉開が扉開閉検知部４２により検知されると、記憶部４３の扉開閉情報が扉開を示す内容に更新される。
そして、紙幣カセットがＡＴＭ３の３号機に装着され、紙幣カセットの記憶部４３に記憶されているＩＤとしてのカセット番号、扉開閉情報、及び現金残留情報がＡＴＭ３に送られると、その送られてきた情報によりＡＴＭ３で紙幣カセットのＩＤ、扉２２の開閉のチェック、現金残留のチェックが行われ、その結果が管理装置８に通知される。
【００４４】
管理装置８では、紙幣カセットのＩＤのカセット番号が認識され、現金が存在していることが確認されるが、扉開閉情報は扉が開かれたことを示す内容になっているので、管理ファイル９におけるカセット装着情報管理テーブルのＡＴＭ３の３号機の紙幣カセット番号を「００１」に更新し、カセット管理テーブルの「００１」の紙幣カセットの装着状態は「ＡＴＭ３の３号機」、確定状態は「未確定」にそれぞれ更新される。
【００４５】
その後、管理装置８は「００１」の紙幣カセットが装着されているＡＴＭ３に自己確定処理の指示を送信する。
これによりＡＴＭ３は現金カセット７に紙幣の繰り出しを指示し、現金カセット７は一括収納部２１内の紙幣を一枚づつ順次繰り出し口から繰り出す。
繰り出された紙幣は鑑別部に送られて金種等の鑑別、計数が行われた後、現金カセット７に送られ、現金カセット７は送られてきた紙幣を取り込み口から取り込んで一括収納部２１に再収納する。
【００４６】
すべての紙幣の鑑別，計数が終了すると、その結果がＡＴＭ３から管理装置８に通知され、管理装置８でその金種別枚数の計数結果と管理ファイル９の現金有高情報管理テーブルにおける「００１」の紙幣カセットの有高情報（金種別の紙幣枚数）の照合が行われる。
この照合により鑑別，計数結果と有高情報が一致した場合は、カセット管理テーブルの「００１」の紙幣カセットの確定状態は「確定」に更新され、その旨の通知が「００１」の紙幣カセットを装着しているＡＴＭ３に行われ、更にこのＡＴＭ３から紙幣カセットに通知が行われて、紙幣カセットの記憶部４３の扉開閉情報が扉閉を示す内容に更新される。
【００４７】
この場合、図１１の場合と同様に紙幣カセットの紙幣をＡＴＭ３の金種別スタッカに紙幣を装填し、管理ファイル９の各テーブルの情報を更新する。
一方、前記の照合により鑑別，計数結果と有高情報が不一致の場合は、図１２の場合と同様に、管理装置８はＡＴＭ３の３号機に装着されている「００１」の紙幣カセット内の装填現金が「未確定」であることを表示部１０に表示すると共に、警告音等を出力して管理装置８の担当オペレータに報知したり、あるいはＴＭ４にメールで通知する等の警告を行ったり、更にはＡＴＭ３の３号機の係員パネルに警告表示を行う等の処置を講じ、これにより別カセットの装填、あるいは手装填扱いにする等の判断を現金取扱いの権限を持つ役席等に委ねる。
【００４８】
この場合、いずれの方法をとっても、その結果が管理装置８に通知されるようにして、管理ファイル９の各テーブルの情報が正しく更新され、現金の有高が管理装置８で正確に把握できるようにすることは、図１２の場合と同様である。
尚、硬貨カセットについても紙幣カセットと同様に取扱い、管理ファイル９の各テーブルの情報を同様に更新する。
【００４９】
また、窓口現金処理機２やＡＴＭ３の金種別スタッカから紙幣カセットや硬貨カセットに紙幣や硬貨を回収し、更にこれら紙幣カセットや硬貨カセットから元方現金処理機５に紙幣や硬貨を回収することも可能であり、この場合も管理ファイル９の各テーブルの内容を同様に更新する。
更に、窓口現金処理機２やＡＴＭ３で取引による入出金処理を行った場合、それに対応して管理ファイル９の現金有高情報管理テーブルの内容を更新する。
【００５０】
図１４は店舗内の有高を確認する場合の手順を示す説明図である。
オペレータが操作部１１を操作して有高情報の表示を指示すると、管理装置８は管理ファイル９を検索して現金有高情報管理テーブルの全情報を取り出し、表示部１０に表示させる。
同時にプリンタ１２により表示内容をプリントアウトするようにしてもよい。
【００５１】
これにより店舗内における金種別、場所別の現金有高が表示されるので、オペレータは店舗内の有高を確認することができる。
このとき、管理装置８により金種別に有高の累計を行って、金種別の累計額を表示するようにしてもよい。
また、管理ファイル９のカセット管理テーブルを検索して、カセットの情報を検索し、窓口現金処理機２やＡＴＭ３及び元方現金処理機５のいずれにも装着されていない未装着カセットの情報や、カセット内の現金の確定／未確定を同時に表示することも可能であり、更に未確定のカセットが窓口現金処理機２やＡＴＭ３及び元方現金処理機５のいずれかに装着されている場合、自己確定処理の指示を出してカセット内の現金の有高を確認することも可能である。
【００５２】
以上説明した第１の実施の形態によれば、現金処理装置間における現金の運搬を現金カセットを用いて行うのでセキュリティー性が向上し、現金にまつわる事故が生じにくくなると共に、通常は現金に手を触れることができないので、現金の運搬に責任者が付き添う等の必要もなくなり、人員の削減が可能になる。
また、店内におけるすべての現金カセット内の現金、及び各現金処理装置内の現金の有高をリアルタイムで把握することができるので、余分に資金調達を行うこともなくなり、有効な資金運用が可能になる。
【００５３】
次に、第２の実施の形態について説明する。
この実施の形態は図５に示した現金カセット７と図６に示した管理装置８にそれぞれ無線インタフェースを設けることにより、店舗内において相互に無線通信可能としたもので、その他の構成は第１の実施の形態と同様であり、管理ファイル９に図７のカセット装着情報管理テーブルと図９の現金有高情報管理テーブルが設定されていることも同様であるが、カセット管理テーブルには各カセットの居場所の情報を追加したものとなっている。
【００５４】
図１５は本実施の形態におけるカセット管理テーブルの内容例を示す図で、図８に比べて、居場所の情報、つまり現金カセット７が現在店舗内にあるか店舗外に持ち出されているかを示す情報を追加している。
このような構成による第２の実施の形態において、現金カセット７つまり紙幣カセットや硬貨カセットと窓口現金処理機２やＡＴＭ３及び元方現金処理機５との間の現金の授受は第１の実施の形態を同様に行われ、そして図７及び図９のテーブルの内容が更新されることも同様である。
【００５５】
また、図１５のカセット管理テーブルにおける装着状態や確定状態の内容の更新も第１の実施の形態を同様に行われるが、これらに加えて現金カセット７の居場所を無線により確認するものとしている。
つまり、現金カセット７は、前記のように各装置で共用できるように構成されていることから他店舗の装置でも使用可能であり、そのため本実施の形態では店舗内で管理されている現金カセット７が店舗内にあるか店舗外に持ち出されているかを確認するものとしている。
【００５６】
図１６は無線通信によって現金カセットの居場所を確認する場合の説明図である。
オペレータが操作部１１を操作して、カセットの居場所確認を指示すると、管理装置８は管理ファイル９のカセット管理テーブルを検索し、装着状態が未装着のカセットの情報を抽出して、該当する現金カセット７に対して無線で問い合わせを行う。
【００５７】
この問い合わせは、例えばＩＤ（カセット番号）をキーにして、現金カセット７に応答するように呼び出しをかけ、図１６の上段に示したように該当するＩＤの現金カセット７が店舗内にある場合、無線通信が可能であるので、管理装置８にＩＤを無線で送信することにより応答（レスポンス）する。
管理装置８は現金カセット７から応答があると、当該現金カセット７の居場所が店舗外であるか店舗内であるかを調べ、店舗外の場合現金カセット７が店舗内に戻ってきたものと判断して、カセット管理テーブルにおける居場所の情報を店舗外から店舗内に更新する。
【００５８】
応答があった現金カセット７の居場所が店舗内となっていれば、居場所の更新は行わず、店舗内の情報が保持される。
一方、図１６の下段に示したように該当するＩＤの現金カセット７が店舗外ある場合、無線通信はできないので、管理装置８は応答（レスポンス）が得られないことになる。
【００５９】
管理装置８は応答がない場合、予め定められたリトライ回数だけ無線による問い合わせを行うが、それによっても応答がない場合、当該現金カセット７の居場所が店舗外であるか店舗内であるかを調べ、店舗内の場合、現金カセット７が店舗外に移ったものと判断して、カセット管理テーブルにおける居場所の情報を店舗内から店舗外に更新する。
【００６０】
応答のない現金カセット７の居場所が店舗外となっていれば、居場所の更新は行わず、店舗外の情報が保持される。
装着状態が未装着の他の現金カセット７についても同様に無線により居場所を確認し、その結果に応じてカセット管理テーブルの内容を更新する。
図１７は無線通信によって現金カセットの居場所を確認する場合の別の例を示す説明図である。
【００６１】
現金カセット７の記憶部４３には、一括収納部２１の扉２２が開かれたか否かを示す扉開閉情報が記憶されているので、この例では無線通信による現金カセット７の居場所確認と、扉２２の開閉の確認を行うものとしている。
この場合、図１６で説明した手順で現金カセット７に対して無線で問い合わせを行い、現金カセット７から応答としてＩＤと扉開閉情報を送信させる。
【００６２】
管理装置８は現金カセット７から応答があると、当該現金カセット７の居場所が店舗外であるか店舗内であるかをカセット管理テーブルから調べると共に、確定情報が確定か未確定かを調べる。
そして、現金カセット７の居場所が店舗内となっていれば、居場所の更新は行わず、店舗内の情報が保持され、現金カセット７の居場所が店舗外の場合、現金カセット７が店舗内に戻ってきたものと判断して、カセット管理テーブルにおける居場所の情報を店舗外から店舗内に更新し、また現金カセット７から送られてきた扉開閉情報に基づいて確定情報を更新するかまたは元の情報を保持する。
【００６３】
例えば、カセット管理テーブルの確定状態が確定であって、現金カセット７から扉の開を示す情報が送られてきた場合、カセット管理テーブルの確定状態を未確定に更新する。
一方、図１７の下段に示したように該当するＩＤの現金カセット７が店舗外ある場合、無線通信はできないので、管理装置８は応答（レスポンス）が得られないことになる。
【００６４】
管理装置８は応答がない場合、予め定められたリトライ回数だけ無線による問い合わせを行うが、それによっても応答がない場合、当該現金カセット７の居場所が店舗外であるか店舗内であるかを調べ、店舗内の場合、現金カセット７が店舗外に移ったものと判断して、カセット管理テーブルにおける居場所の情報を店舗内から店舗外に更新する。
【００６５】
応答のない現金カセット７の居場所が店舗外となっていれば、居場所の更新は行わず、店舗外の情報が保持される。
装着状態が未装着の他の現金カセット７についても同様に無線により居場所と確定状態を確認し、その結果に応じてカセット管理テーブルの内容を更新する。
図１８は図１７のように確認を行った後のカセット管理テーブルの例を示す図で、図１５の例に対してカセット番号「０１０」の紙幣カセットの確定状態が確定から未確定に更新されている。
【００６６】
図１９は第２の実施の形態における店内の有高を確認する場合の手順を示す説明図である。
オペレータが操作部１１を操作して有高情報の表示を指示すると、管理装置８は管理ファイル９の現金有高情報管理テーブルを検索して、店舗外の現金カセット以外の現金カセットの情報を取り出して表示部１０に表示させる。
【００６７】
同時にプリンタ１２により表示内容をプリントアウトするようにしてもよい。
これにより店舗内における金種別、場所別の現金有高が表示されるので、オペレータは店舗内の有高を確認することができる。
このとき、管理装置８により金種別に有高の累計を行って、金種別の累計額を表示するようにしてもよい。
【００６８】
また、管理ファイル９のカセット管理テーブルを検索して、カセットの情報を検索し、未装着カセットの情報や、カセット内の現金の確定／未確定を同時に表示することも可能であり、更に未確定のカセットが窓口現金処理機２やＡＴＭ３及び元方現金処理機５のいずれかに装着されている場合、自己確定処理の指示を出してカセット内の現金の有高を確認することも可能である。
【００６９】
以上説明した第２の実施の形態によれば、第１の実施の形態と同様の効果が得られる他、未装着の現金カセットが店舗内にあるか否か、更には現金カセットの扉が開けられたか否かの情報を無線により確認できるので、より緻密な有高の管理が可能になる。
次に、第３の実施の形態について説明する。
【００７０】
この第３の実施の形態は、第１の実施の形態または第２の実施の形態において管理ファイルに装填・回収指示管理テーブルを設けて現金の移動の管理を行うもので、図２０はその装填・回収指示管理テーブルの内容例を示す図である。
この装填・回収指示管理テーブルは、現金カセット７の装着先と、装填または回収金額を示す情報を格納するもので、紙幣カセット及び硬貨カセットのカセット番号に対応させて装着先の装置の種類と装置番号及び装填または回収時の指示金額の情報が書き込まれている。
【００７１】
図２１は第３の実施の形態における現金移動の際の管理の手順を示す説明図であり、この現金の移動の管理は第１及び第２の実施の形態における現金有高情報管理と並行して行われる。
まず、空の現金カセット７を元方現金処理機５に装着した状態で、オペレータがＴＭ４のキーボードにより装填金額と装着先（行き先）を入力すると共に装填を指示すると、元方現金処理機５の金種別スタッカから紙幣が繰り出され、金種の確認及び計数を行いながら現金カセットに現金を装填する。
【００７２】
装填が終了すると元方現金処理機５からＴＭ４を介して管理装置８に装填終了の通知と共に、カセット番号、カセットの装着先、及び装填指示金額の情報が送られ、これにより管理装置８は管理ファイル９における装填・回収指示管理テーブルの該当カセットの内容を更新する。
例えば、現金カセット７としてカセット番号が「００１」の紙幣カセットに１００万円の現金が装填され、この紙幣カセットの装着先がＡＴＭ３の１号機の場合、装填・回収指示管理テーブルにおけるカセット番号「００１」の紙幣カセットの装着先は「ＴｏＡＴＭ３」に更新され、指示金額は「１，０００，０００」に更新される。
【００７３】
その後、オペレータは元方現金処理機５から紙幣カセットを取り外してＡＴＭ３の１号機に運搬し、このＡＴＭ３に紙幣カセットを装着して係員操作部により装填を指示する。
これにより紙幣カセットから紙幣が繰り出され、ＡＴＭ３内で金種等の鑑別、計数が行われて、ＡＴＭの金種別スタッカに装填される。
【００７４】
金種別スタッカへの装填が完了すると、ＡＴＭ３から管理装置８に装填終了の通知と、装填金額の情報が送られ、これにより管理装置８は送られてきた装填金額と装填・回収指示管理テーブルの「００１」の紙幣カセットの指示金額を突き合わせて、一致した場合は現金の移動は終了し、不一致の場合は表示部１０にエラー表示を行って担当のオペレータに報知することにより、エラーに対応した処理を行わせる。
【００７５】
図２２は現金移動の際の管理の手順の別の例を示す説明図であり、この現金の移動の管理も第１及び第２の実施の形態における現金有高情報管理と並行して行われるものである。
まず、空の現金カセット７を元方現金処理機５に装着した状態で、オペレータがＴＭ４のキーボードにより装填金額と装着先（行き先）を入力すると共に装填を指示すると、元方現金処理機５の金種別スタッカから紙幣が繰り出され、金種の確認及び計数を行いながら現金カセットに現金を装填する。
【００７６】
装填が終了すると現金カセット７にカセットの装着先及び装填指示金額の情報が送られ、記憶部４３に記憶される。
例えば、現金カセット７としてカセット番号が「００１」の紙幣カセットに１００万円の現金が装填され、この紙幣カセットの装着先がＡＴＭ３の１号機の場合、これらの情報が記憶部４３に書き込まれる。
【００７７】
その後、オペレータは元方現金処理機５から紙幣カセットを取り外してＡＴＭ３の１号機に運搬し、このＡＴＭ３に紙幣カセットを装着して係員操作部により装填を指示すると、記憶部４３に記憶されているＩＤ、装着先、装填金額の情報がＡＴＭ３を介して管理装置８に送られる。
これにより管理装置８は管理ファイル９における装填・回収指示管理テーブルの該当カセットつまり「００１」の紙幣カセットに対して装着先は「ＴｏＡＴＭ３」に更新され、指示金額は「１，０００，０００」に更新される。
【００７８】
そして、ＡＴＭ３では紙幣カセットから紙幣が繰り出され、ＡＴＭ３内で金種等の鑑別、計数が行われて、ＡＴＭ３の金種別スタッカに装填される。
金種別スタッカへの装填が完了すると、ＡＴＭ３から管理装置８に装填終了の通知と、装填金額の情報が送られ、これにより管理装置８は送られてきた装填金額と装填・回収指示管理テーブルの「００１」の紙幣カセットの指示金額を突き合わせて、一致した場合は現金の移動は終了し、不一致の場合は表示部１０にエラー表示を行って担当のオペレータに報知することにより、エラーに対応した処理を行わせる。
【００７９】
以上説明した第３の実施の形態によれば、現金カセットに装填した現金の装填金額を管理装置に送ってテーブルに記憶し、現金カセットから現金処理装置の金種別スタッカに装填したときに計数した金額を管理装置に送ってテーブルに記憶されている金額と突き合わせるようにしているため、より厳密な現金管理を行うことが可能になると共に、管理装置に送る金額情報を伝票の代わりにできるので伝票レス化を図ることができる。
【００８０】
次に第４の実施の形態について説明する。
図２３は第４の実施の形態による現金管理システムを示す概略構成図で、このシステムは、現金カセット７とＡＴＭ（自動取引装置）６０と元方現金処理機６１等により構成されている。
ここで、現金カセット７は第１の実施の形態で説明したものと同じものであるが、本実施の形態ではこの現金カセット７は、ＡＴＭ６０に対する現金の装填や回収を行うものと、元方現金処理機６１専用のものが使用され、従ってこの２種の現金カセット７のうち、ＡＴＭ６０のものをＡＴＭカセット、元方現金処理機６１専用のものを補充回収カセットとして説明する。
【００８１】
ＡＴＭ６０は元方現金処理機６１とはネットワーク接続されていないスタンドアロン型のもので、その他の構成は第１の実施の形態で説明したＡＴＭ３と同様である。
一方、元方現金処理機６１は、図１に示したＴＭ４と元方現金処理機５と管理装置８及び管理ファイル９の機能を併せ持っている。
【００８２】
この元方現金処理機６１は、店舗のカウンタでの取引における大口の入出金等の処理を行う機能を有し、特に大口の入金に際しては、専用の補充回収カセットを装着して、この補充回収カセットに入金現金を装填するようになっている。
図２４は第４の実施の形態における現金有高情報管理テーブルの内容例を示す図で、元方現金処理機６１毎及びＡＴＭカセット（紙幣用・硬貨用）毎に収納した金種と枚数の情報が書き込まれている他、図示しない補充回収カセット毎に収納した金種と枚数の情報が書き込まれており、この現金有高情報管理テーブルは元方現金処理機６１に設けられている管理ファイルに設定されている。
【００８３】
図２５は本実施の形態における有高管理の運用イメージを示す図で、この図を参照して作用を説明する。
まず、元方現金処理機６１に補充回収カセットが装着され、入金処理のための現金が装填された場合、それに対応して現金有高情報管理テーブルの該当カセットの内容が更新される。
【００８４】
例えば、カセット番号（ＩＤ）「００１」の補充回収カセットの場合、現金有高情報管理テーブルの「００１」の補充回収カセットの情報として図２５（ａ）に示したように、装填した金種と金種別の枚数が書き込まれる。
装填完了後、この「００１」の補充回収カセットをオペレータが元方現金処理機６１から取り外すと、元方現金処理機６１は補充回収カセット内の紙幣はそのままカセット内に存在するものとみなし、以後みなし有高として管理する。
【００８５】
図２５（ｂ）の破線はみなし有高であること示している。その後、元方現金処理機６１にＡＴＭカセットが装着され、このＡＴＭカセットに紙幣が装填されると、それに対応して現金有高情報管理テーブルの該当カセットの内容が更新される。
例えば、このＡＴＭカセットがカセット番号「０１０」のカセットの場合、現金有高情報管理テーブルの「０１０」のＡＴＭカセットの情報として図２５（ｃ）に示したように、装填した金種と金種別の枚数が書き込まれる。
【００８６】
このようにして元方現金処理機６１内の現金、元方現金処理機６１により装填された補充回収カセットやＡＴＭカセット内の現金の有高を管理する。
以上説明した第４の実施の形態によれば、店舗内で使用されるカセット内の現金の有高を元方現金処理機で把握して管理できるので、有効な資金運用が可能になり、またスタンドアロン型のＡＴＭに対してもカセットを用いて現金の装填回収を行うことが可能になる。
【００８７】
次に第５の実施の形態について説明する。
この実施の形態の構成は第４の実施の形態と同じであるが、大口の入金等の際に補充回収カセットを元方現金処理機６１に装着して、この補充回収カセットに入金現金を装填した場合、この補充回収カセットの記憶部４３に装填した現金の金種と枚数を有高情報として記憶させ、そしてこの補充回収カセットを一度元方現金処理機６１から取り外して、その後再度元方現金処理機６１に装着したとき、元方現金処理機６１により現金有高情報管理テーブルの有高情報と、当該カセットの記憶部に記憶している有高情報を突き合わせるようにしたものである。
【００８８】
図２６はこの場合の有高管理の運用イメージを示す図で、例えば、元方現金処理機６１でカセット番号「００１」の補充回収カセットへ紙幣を装填時したとき、図２６（ａ）に示したように現金有高情報管理テーブルの当該カセット番号に対応して装填した紙幣の金種と枚数を有高情報として書き込むと共に、この有高情報を元方現金処理機６１から補充回収カセットに送り、これにより補充回収カセットの記憶部４３に装填した現金の金種と枚数が有高情報として記憶される。
【００８９】
そして、補充回収カセットを一度元方現金処理機６１から取り外した段階で、補充回収カセットの現金の紙幣はみなし有高として管理される。
図２６（ａ）の破線はみなし有高であることを示している。
その後、「００１」の補充回収カセットを再度元方現金処理機６１に装着したとき、補充回収カセットの記憶部４３に記憶されているカセット番号と有高情報が補充回収カセットから元方現金処理機６１に送られ、これにより元方現金処理機６１は現金有高情報管理テーブルにおける「００１」の補充回収カセットの有高情報と、補充回収カセットから送られてきた有高情報を突き合わせ、一致した場合、その有高を確定したものとして管理する。
【００９０】
図２６（ｂ）はみなし有高であることを示す破線を消し、確定した有高であることを示している。
尚、この他としては、補充回収カセットへの現金の装填後、補充回収カセットを元方現金処理機６１から取り外すとき、その日時をカセット番号に対応させて管理ファイルのカセット管理テーブルに書き込み、同時に取り外し日時を補充回収カセットに送って記憶部４３に記憶させておき、再装着されたとき、カセット管理テーブルと補充回収カセットの記憶部４３カセット番号及び取り外し日時を突き合わせて一致した場合、補充回収カセット内の現金の有高を確定したものとして管理するようにしてもよい。
【００９１】
以上説明した第５の実施の形態によれば、元方現金処理機専用の補充回収カセットが再送着されたとき、その補充回収カセット内の現金の有高を確認するので、より正確な有高の管理が可能となる。
次に第６の実施の形態について説明する。
図２７及び図２８は第６の実施の形態を示す説明図で、この実施の形態は、現金カセット７としてＡＴＭカセットを用い、このＡＴＭカセットによりＡＴＭ６０から現金を回収する場合のである。
【００９２】
まず、ＡＴＭ６０にＡＴＭカセットを装着した状態で、ＡＴＭ６０の金種別スタッカから繰り出した紙幣をＡＴＭカセットに装填した際、ＡＴＭ６０で計数した金種別の装填枚数をＡＴＭカセットに送り、図２７に示したように記憶部４３にカセット内の有高として記憶させ、このＡＴＭカセットをオペレータがＡＴＭ６０から取り外して元方現金処理機６１に運搬する。
【００９３】
そして、このＡＴＭカセットを元方現金処理機６１にセットしたとき、ＡＴＭカセットの記憶部４３に記憶されているカセット番号と有高情報を元方現金処理機６１に送って表示部６２に表示させ、更にオペレータが元方現金処理機６１のキーボードを操作して回収を指示することにより、ＡＴＭカセットから紙幣を順次繰り出し、繰り出した紙幣の金種等の鑑別、計数を行って、計数した紙幣を金種別に一定枚数毎に束ねたり、金種別スタッカに回収したりする。
【００９４】
この回収時に計数した紙幣の金種別の枚数を表示部６２に表示し、ＡＴＭカセットのすべての紙幣を回収した時点での計数した金種別の枚数と紙幣カセットからの有高情報をオペレータが目視により突き合わせ、一致を確認して作業を終了する。
また、この実施の形態において、ＡＴＭ６０により紙幣を装填したＡＴＭカセットをオペレータが取り外す際、ＡＴＭ６０に設けられている係員操作部によりＡＴＭカセットの装着先（行き先）の装置のＩＤを入力することで、この装置ＩＤを図２８に示したように有高情報と共にＡＴＭカセットの記憶部４３に記憶させ、このＡＴＭカセットを元方現金処理機６１にセットしたとき、ＡＴＭカセットの記憶部４３に記憶されている装置ＩＤを元方現金処理機６１の自信が保有しているＩＤと共に表示部６２に表示させ、オペレータが目視により突き合わせて一致を確認する。  以上説明した第６の実施の形態によれば、現金の回収時に現金カセットに保有させた有高情報を元方現金処理機の表示部に表示することにより、この有高情報を伝票金額データとしてみなし、元方現金処理機での計数結果と突き合わせることで有高を確認できるので、伝票レス運用が可能となる。
【００９５】
また、現金カセットにＡＴＭから外した後の装着先の装置のＩＤを保有させ、このＩＤを元方現金処理機の表示部に表示するようにしているため、現金カセットが正しい装着先に装着されているか否かをチェックすることができ、正しい装置での回収を確実に行うことが可能となる。
【００９６】
【発明の効果】
以上説明したように、本発明は、現金処理装置間における現金の運搬を現金カセットを用いて行うのでセキュリティー性が向上するという効果か得られ、これにより現金にまつわる事故が生じにくくなると共に、通常は現金に手を触れることができないので、現金の運搬に責任者が付き添う等の必要もなくなり、人員の削減が可能になるという効果も得られる。
【００９７】
また、店内におけるすべての現金カセット内の現金、及び各現金処理装置内の現金の有高をリアルタイムで把握することができるので、余分に資金調達を行うこともなくなり、有効な資金運用が可能になるという効果も得られる。
【図面の簡単な説明】
【図１】第１の実施の形態による現金管理システムを示す概略構成図。
【図２】紙幣用の現金カセットの外観を示す斜視図。
【図３】現金カセットの側断面図。
【図４】現金カセットの状態遷移を示す説明図。
【図５】現金処理装置と現金カセットにおける制御系の構成を示すブロック図。
【図６】管理装置における制御系の構成を示すブロック図。
【図７】カセット装着情報管理テーブルの内容例を示す図。
【図８】カセット管理テーブルの内容例を示す図。
【図９】現金有高情報管理テーブルの内容例を示す図。
【図１０】現金カセットへの現金装填処理手順を示す説明図。
【図１１】現金装填後の現金カセットの別の装置への装着手順を示す説明図。
【図１２】現金装填後の現金カセットの別の装置への装着手順を示す説明図。
【図１３】現金装填後の現金カセットの別の装置への装着手順を示す説明図。
【図１４】店内の有高を確認する場合の手順を示す説明図。
【図１５】第２の実施の形態にけるカセット管理テーブルの内容例を示す図。
【図１６】無線通信によって現金カセットの居場所を確認する場合の説明図。
【図１７】無線通信によって現金カセットの居場所を確認する場合の説明図。
【図１８】居場所確認後のカセット管理テーブルの例を示す図。
【図１９】第２の実施の形態における店内の有高を確認する場合の手順を示す説明図。
【図２０】第３の実施の形態における装填・回収指示管理テーブルの内容例を示す図。
【図２１】第３の実施の形態における現金移動の際の管理の手順を示す説明図。
【図２２】第３の実施の形態における現金移動の際の管理の手順を示す説明図。
【図２３】第４の実施の形態による現金管理システムを示す概略構成図。
【図２４】第４の実施の形態における現金有高情報管理テーブルの内容例を示す図。
【図２５】第４の実施の形態における有高管理の運用イメージを示す図。
【図２６】第５の実施の形態における有高管理の運用イメージを示す図。
【図２７】第６の実施の形態を示す説明図。
【図２８】第６の実施の形態を示す説明図。
【符号の説明】
１  ＯＴＭ
２  窓口現金処理機
３  ＡＴＭ
４  ＴＭ
５  元方現金処理機
６  ネットワーク
７  現金カセット
８  管理装置
９  管理ファイル
２１  一括収納部
２２  鍵付きの扉
３４  記憶部
３５  制御部
４２  扉開閉検知部
４３  記憶部
４４  制御部
５３  記憶部
５４  制御部
６０  ＡＴＭ
６１  元方現金処理機
【図１】
0004826032.tif 000002
【図２】
0004826032.tif 000003
【図３】
0004826032.tif 000004
【図４】
0004826032.tif 000005
【図５】
0004826032.tif 000006
【図６】
0004826032.tif 000007
【図７】
0004826032.tif 000008
【図８】
0004826032.tif 000009
【図９】
0004826032.tif 000010
【図１０】
0004826032.tif 000011
【図１１】
0004826032.tif 000012
【図１２】
0004826032.tif 000013
【図１３】
0004826032.tif 000014
【図１４】
0004826032.tif 000015
【図１５】
0004826032.tif 000016
【図１６】
0004826032.tif 000017
【図１７】
0004826032.tif 000018
【図１８】
0004826032.tif 000019
【図１９】
0004826032.tif 000020
【図２０】
0004826032.tif 000021
【図２１】
0004826032.tif 000022
【図２２】
0004826032.tif 000023
【図２３】
0004826032.tif 000024
【図２４】
0004826032.tif 000025
【図２５】
0004826032.tif 000026
【図２６】
0004826032.tif 000027
【図２７】
0004826032.tif 000028
【図２８】
0004826032.tif 000029